(57)【特許請求の範囲】
【請求項１】
複数本の電線からなるワイヤハーネスを保護する第１プロテクタと、
前記ワイヤハーネスを保護し、前記第１プロテクタに連結される第２プロテクタと
を備え、
前記第１プロテクタは、前記第２プロテクタに連結される第１連結部を備え、
前記第２プロテクタは、前記第１連結部に固定される第２連結部を備えたプロテクタであって、
前記第１連結部は、前記第１プロテクタの外壁面を構成する何れか一面が前記第２プロテクタに向けて延長することによって形成され、
前記第２連結部は、前記第１プロテクタと前記第２プロテクタとの組み付け状態のみ前記第１連結部と嵌合される嵌合部が形成され、
前記第１プロテクタは、前記ワイヤハーネスを収容する第１プロテクタ本体と、前記第１プロテクタ本体の上部開口を閉止する第１蓋体とを備え、
前記第２プロテクタは、前記ワイヤハーネスを収容する第２プロテクタ本体と、前記第２プロテクタ本体の上部開口を閉止する第２蓋体とを備え、
前記第１連結部は、前記第１蓋体が前記第２プロテクタに向けて延長することによって形成され、
前記第２連結部は、前記第２蓋体に形成されることを特徴とするプロテクタ。
【請求項２】
請求項１に記載のプロテクタであって、
前記第１連結部の外表面には、複数の凹部が形成されることを特徴とするプロテクタ。
【請求項３】
請求項１又は請求項２に記載のプロテクタであって、
前記嵌合部は、前記第１プロテクタと前記第２プロテクタとの組み付け状態において、前記第１連結部の端面と当接する壁面を有することを特徴とするプロテクタ。
【請求項４】
請求項３に記載のプロテクタであって、
前記プロテクタの平面視において、前記壁面の形状は、前記第１プロテクタと前記第２プロテクタとの組み付け状態において、前記端面の形状と一致することを特徴とするプロテクタ。
【請求項５】
請求項３又は請求項４に記載のプロテクタであって、
前記第２プロテクタは、前記嵌合部よりも前記第１連結部から離れた位置に設けられ、他の部分よりも盛り上がる盛上部を備え、
前記盛上部は、前記嵌合部に設けられた前記壁面側に向かって傾斜していることを特徴とするプロテクタ。
【請求項６】
請求項５に記載のプロテクタであって、
前記盛上部の最も下端は、前記嵌合部に設けられた前記壁面と平行に形成されることを特徴とするプロテクタ。
【発明の詳細な説明】
【技術分野】
【０００１】
本発明は、ワイヤハーネスを保護するワイヤハーネス用のプロテクタに関する。
【背景技術】
【０００２】
従来から、自動車などの車両の床下に配索される複数本の電線からなるワイヤハーネスは、配索経路の全域において保護部材としてのワイヤハーネス用のプロテクタによって保護されている。
【０００３】
このプロテクタは、ワイヤハーネスの全長全てを保護するため非常に長いとともに、車両の床下のスペースに合わせて屈曲する部分を有している（例えば、特許文献１参照）。このため、プロテクタを梱包し難いことは勿論、プロテクタを車両の組み付け工場への搬送が不便であった。
【０００４】
そこで、近年においては、プロテクタを複数に分割すること、すなわち、少なくとも第１プロテクタと第２プロテクタとに分割することが行われている（例えば、特許文献１参照）。複数に分割された第１プロテクタ及び第２プロテクタを梱包できるため、上述した長くて屈曲したプロテクタと比較して、第１プロテクタ及び第２プロテクタを梱包し易くなるとともに、梱包された第１プロテクタ及び第２プロテクタを車両の組み付け工場へ搬送し易くなる。
【先行技術文献】
【特許文献】
【０００５】
【特許文献１】特開２００５−３１８７４０号公報
【発明の概要】
【発明が解決しようとする課題】
【０００６】
しかしながら、上述した従来の分割されたプロテクタでは、第１プロテクタと第２プロテクタとを連結させる際、第１プロテクタの第１連結部と第２プロテクタの第２連結部とを上下逆転して組み付けてしまうこと（いわゆる、誤組み付けが生じること）があり、車両の床下からプロテクタまでの隙間がプロテクタの長手方向で不均一となってしまう。このため、車両の振動や外力によって車両の床下とプロテクタとが擦れてしまい、異音が発生するという問題があった。
【０００７】
そこで、本発明は、第１プロテクタと第２プロテクタとの誤組み付けを確実に防止し、異音の発生を抑制できるプロテクタの提供を目的とする。
【課題を解決するための手段】
【０００８】
上述した課題を解決するため、本発明は、次のような特徴を有している。まず、本発明の第１の特徴は、複数本の電線からなるワイヤハーネス（ワイヤハーネスＷ）を保護する第１プロテクタ（第１プロテクタ１００）と、前記ワイヤハーネスを保護し、前記第１プロテクタに連結される第２プロテクタ（第２プロテクタ２００）とを備え、前記第１プロテクタは、前記第２プロテクタに連結される第１連結部（第１連結部１３０）を備え、前記第２プロテクタは、前記第１連結部に固定される第２連結部（第２連結部２３０）を備えたプロテクタ（プロテクタ１）であって、前記第１連結部は、前記第１プロテクタの外壁面を構成する何れか一面が前記第２プロテクタに向けて延長することによって形成され、前記第２連結部は、前記第１プロテクタと前記第２プロテクタとの組み付け状態のみ前記第１連結部と嵌合される嵌合部（嵌合部２３１）が形成され、前記第１プロテクタは、前記ワイヤハーネスを収容する第１プロテクタ本体（第１プロテクタ本体１１０）と、前記第１プロテクタ本体の上部開口を閉止する第１蓋体（第１蓋体１２０）とを備え、前記第２プロテクタは、前記ワイヤハーネスを収容する第２プロテクタ本体（第２プロテクタ本体２１０）と、前記第２プロテクタ本体の上部開口を閉止する第２蓋体（第２蓋体２２０）とを備え、前記第１連結部は、前記第１蓋体が前記第２プロテクタに向けて延長することによって形成され、前記第２連結部は、前記第２蓋体に形成されることを要旨とする。
【０００９】
かかる特徴によれば、嵌合部は、第１プロテクタと第２プロテクタとの組み付け状態のみ第１連結部と嵌合される。つまり、第１連結部と第２連結部とを上下逆転して組み付けられてしまうと、第１連結部が嵌合部に嵌合せずに、第１連結部と第２連結部とを組み付けることができない。これにより、第１プロテクタと第２プロテクタとの誤組み付けを検知できるため、第１プロテクタと第２プロテクタとの誤組み付けを確実に防止できる。従って、車両の床下からプロテクタまでの隙間がプロテクタの長手方向で不均一となることなく、車両の床下とプロテクタとが擦れることを防止できるため、異音の発生を抑制することができる。
【００１１】
かかる特徴によれば、第１連結部は、第１蓋体が第２プロテクタに向けて延長することによって形成され、第２連結部は、第２蓋体に形成される。これにより、第１蓋体及び第２蓋体を加工するのみで、第１プロテクタと第２プロテクタとの誤組み付けを確実に防止できる。このため、他の部材によって第１連結部や第２連結部を成型する場合と比較して、コスト安をも実現することができる。
【００１２】
本発明の第２の特徴は、本発明の第１の特徴に係り、前記第１連結部の外表面には、複数の凹部（凹部１３１）が形成されることを特徴とする。
【００１３】
かかる特徴によれば、第１連結部の外表面には、複数の凹部が形成される。これにより、第１プロテクタと第２プロテクタとの誤組み付けを確実に防止できることに加えて、第１連結部の軽量化を図りつつ、第１連結部の強度をも向上させることができる。
【００１４】
本発明の第３の特徴は、本発明の第１又は第２の特徴に係り、前記嵌合部は、前記第１プロテクタと前記第２プロテクタとの組み付け状態において、前記第１連結部の端面（先端面１３３）と当接する壁面（壁面２３２）を有することを要旨とする。
【００１５】
かかる特徴によれば、嵌合部は、第１プロテクタと第２プロテクタとの組み付け状態において、第１連結部の端面と当接する壁面を有する。これにより、第１プロテクタと第２プロテクタとの誤組み付けを確実に防止できることに加えて、第１プロテクタと第２プロテクタとの組み付け時の位置決め（固定位置の位置決め）が容易となる。このため、第１プロテクタと第２プロテクタとの組み付け作業性をも向上させることができる。
【００１６】
本発明の第４の特徴は、本発明の第３の特徴に係り、前記プロテクタの平面視において、前記壁面の形状は、前記第１プロテクタと前記第２プロテクタとの組み付け状態において、前記端面の形状と一致することを要旨とする。
【００１７】
かかる特徴によれば、壁面の形状は、第１プロテクタと第２プロテクタとの組み付け状態において、端面の形状と一致する。これにより、第１プロテクタと第２プロテクタとの組み付け時の位置決めがさらに容易となるため、第１プロテクタと第２プロテクタとの組み付け作業性をより確実に向上させることができる。
【００１８】
本発明の第５の特徴は、本発明の第３又は第４の特徴に係り、前記第２プロテクタは、前記嵌合部よりも前記第１連結部から離れた位置に設けられ、他の部分よりも盛り上がる盛上部（盛上部２４０）を備え、前記盛上部は、前記嵌合部に設けられた前記壁面側に向かって傾斜していることを要旨とする。
【００１９】
かかる特徴によれば、盛上部は、嵌合部に設けられた壁面側に向かって傾斜している。これにより、第１プロテクタと第２プロテクタとの組み付ける際、第１連結部を盛上部に当てると、第１連結部が盛上部の傾斜面を滑り込んで嵌合部に嵌合する。このため、第１プロテクタと第２プロテクタとの組み付け時の位置決めがさらに容易となるため、第１プロテクタと第２プロテクタとの組み付け作業性をさらに向上させることができる。
【００２０】
本発明の第６の特徴は、本発明の第５の特徴に係り、前記盛上部の最も下端は、前記嵌合部に設けられた前記壁面と平行に形成されることを要旨とする。
【００２１】
かかる特徴によれば、盛上部の最も下端は、嵌合部に設けられた壁面と平行に形成される。これにより、第１連結部が盛上部の傾斜面を滑り込んで嵌合部により嵌合し易くなる。このため、第１プロテクタと第２プロテクタとの組み付け作業性をさらに向上させることができる。
【発明の効果】
【００２２】
本発明の特徴によれば、第１プロテクタと第２プロテクタとの誤組み付けを確実に防止し、異音の発生を抑制できるプロテクタを提供することができる。
【図面の簡単な説明】
【００２３】
【図１】図１は、本実施形態に係るプロテクタ１を示す分解斜視図である。
【図２】図２は、本実施形態に係るプロテクタ１を示す組立斜視図である。
【図３】図３は、本実施形態に係る第１連結部１３０及び第２連結部２３０近傍を示す拡大斜視図である。
【図４】図４は、本実施形態に係る第１連結部１３０及び第２連結部２３０の分解時を示す平面図である。
【図５】図５（ａ）は、本実施形態に係る第１連結部１３０及び第２連結部２３０の連結時を示す平面図であり、図５（ｂ）は、本実施形態に係る第１連結部１３０及び第２連結部２３０の連結時を示す一部断面図（図５（ａ）のＡ−Ａ断面図）である。
【発明を実施するための形態】
【００２４】
次に、本発明に係るプロテクタの実施形態について、図面を参照しながら説明する。具体的には、（１）プロテクタの構成、（２）第１連結部、第２連結部及び盛上部の構成、（３）作用・効果、（４）その他の実施形態について説明する。
【００２５】
なお、以下の図面の記載において、同一または類似の部分には、同一または類似の符号を付している。ただし、図面は模式的なものであり、各寸法の比率などは現実のものとは異なることに留意すべきである。
【００２６】
したがって、具体的な寸法などは以下の説明を参酌して判断すべきである。また、図面相互間においても互いの寸法の関係や比率が異なる部分が含まれ得る。
【００２７】
（１）プロテクタの構成
まず、本実施形態に係るプロテクタ１の構成について、図面を参照しながら説明する。図１は、本実施形態に係るプロテクタ１を示す分解斜視図である。図２は、本実施形態に係るプロテクタ１を示す組立斜視図である。
【００２８】
図１及び図２に示すように、プロテクタ１は、自動車などの車両の床下に配索される複数本の電線からなるワイヤハーネスＷを保護するためのものである。プロテクタ１は、合成樹脂によって形成される。また、プロテクタ１は、第１プロテクタ１００と、第２プロテクタ２００とを備えている。
【００２９】
第１プロテクタ１００は、ワイヤハーネスＷを収容するＵ字状の第１プロテクタ本体１１０と、第１プロテクタ本体１１０の上部開口を閉止する板状の第１蓋体１２０と、第２プロテクタ２００に連結される第１連結部１３０とを備えている。第１プロテクタ本体１１０及び第１蓋体１２０は、公知のロック機構（係止機構）によって固定される。なお、第１連結部１３０の詳細については、後述する。
【００３０】
第２プロテクタ２００は、ワイヤハーネスＷを収容するＵ字状の第２プロテクタ本体２１０と、第２プロテクタ本体２１０の上部開口を閉止する板状の第２蓋体２２０と、第１連結部１３０に固定される第２連結部２３０と、他の部分よりも盛り上がる盛上部２４０とを備えている。第２プロテクタ本体２１０及び第２蓋体２２０は、公知のロック機構（係止機構）によって固定される。なお、第２連結部２３０及び盛上部２４０の詳細については、後述する。
【００３１】
（２）第１連結部、第２連結部及び盛上部の構成
次に、上述した第１連結部１３０、第２連結部２３０及び盛上部２４０の構成について、図面を参照しながら説明する。図３は、本実施形態に係る第１連結部１３０及び第２連結部２３０近傍を示す拡大斜視図である。図４は、本実施形態に係る第１連結部１３０及び第２連結部２３０の分解時を示す平面図である。図５（ａ）は、本実施形態に係る第１連結部１３０及び第２連結部２３０の連結時を示す平面図であり、図５（ｂ）は、本実施形態に係る第１連結部１３０及び第２連結部２３０の連結時を示す一部断面図（図５（ａ）のＡ−Ａ断面図）である。
【００３２】
（２．１）第１連結部１３０
図３〜図５に示すように、第１連結部１３０は、第１プロテクタ１００の外壁面を構成する何れか一面が第２プロテクタ２００に向けて延長することによって形成されている。本実施形態では、第１連結部１３０は、第１蓋体１２０が第２プロテクタ２００に向けて延長することによって形成されている。
【００３３】
第１連結部１３０の外表面（第１プロテクタ本体１１０と逆側の第１蓋体１２０の表面）には、肉抜き成型によって複数の凹部１３１が形成されている。一方、第１連結部１３０の裏面（第１プロテクタ本体１１０側の第１蓋体１２０の裏面）は、平坦状（フラット状）に形成されている。
【００３４】
また、第１連結部１３０は、プロテクタ１の長手方向ＬＤ沿った一対の側端面１３２と、側端面１３２に交差する先端面１３３とを有している。この先端面１３３は、側端面１３２に直交する先端直交面１３３Ａと、長手方向ＬＤに直交する短手方向ＳＤにおける先端直交面１３３Ａの中間部から側端面１３２側へ傾斜する先端傾斜面１３３Ｂとによって構成されている。
【００３５】
つまり、第１連結部１３０には、幅が第２プロテクタ２００側に向かうに連れて徐々に狭くなる幅狭部分１３４が設けられている。この幅狭部分１３４には、第１プロテクタ１００と第２プロテクタ２００とを車両の床下に固定する固定手段（ボルト等）が挿通される挿通孔１３５が形成されている。
【００３６】
（２．２）第２連結部２３０
図３〜図５に示すように、第２連結部２３０は、第２プロテクタ２００の外壁面を構成する何れか一面に形成されている。本実施形態では、第２連結部２３０は、第２蓋体２２０の第１プロテクタ１００寄りに形成されている。
【００３７】
第２連結部２３０は、第１プロテクタ１００と第２プロテクタ２００との組み付け状態のみ第１連結部１３０と嵌合される嵌合部２３１が形成されている。嵌合部２３１は、第２連結部２３０の外表面が切り欠けられて該外表面が凹むことによって形成されている。また、嵌合部２３１は、第１プロテクタ１００と第２プロテクタ２００との組み付け状態において、前記第１連結部１３０の先端面１３３と当接（線接触）する壁面２３２を有している。
【００３８】
プロテクタ１の平面視において、壁面２３２の形状は、第１プロテクタ１００と第２プロテクタ２００との組み付け状態において、第１連結部１３０の先端面１３３の形状と一致する。すなわち、壁面２３２は、先端直交面１３３Ａと当接する第１壁面２３２Ａと、先端傾斜面１３３Ｂと当接する第２壁面２３２Ｂとを含む。
【００３９】
また、第２連結部２３０には、第１プロテクタ１００と第２プロテクタ２００とを車両の床下に固定する固定手段（ボルト等）が挿通される挿通孔２３４が形成されている。挿通孔２３４は、第１プロテクタ１００と第２プロテクタ２００との組み付け状態において挿通孔１３５と一致する。そして、挿通孔１３５及び挿通孔２３４に挿通された固定手段によって、第１プロテクタ１００と第２プロテクタ２００とが車両の床下に固定される。
【００４０】
（２．３）盛上部２４０
図３〜図５に示すように、盛上部２４０は、嵌合部２３１よりも第１連結部１３０から離れた位置に設けられ、他の部分よりも盛り上がるように形成されている。この盛上部２４０は、嵌合部２３１に設けられた壁面２３２側に向かって傾斜している。また、盛上部２４０の最も下端２４１は、嵌合部２３１に設けられた壁面２３２と平行に形成される。
【００４１】
（３）作用・効果
以上説明した本実施形態では、嵌合部２３１は、第１プロテクタ１００と第２プロテクタ２００との組み付け状態のみ第１連結部１３０と嵌合される。つまり、第１連結部１３０と第２連結部２３０とを上下逆転して組み付けられてしまうと、第１連結部１３０が嵌合部２３１に嵌合せずに、第１連結部１３０と第２連結部２３０とを組み付けることができない。これにより、第１プロテクタ１００と第２プロテクタ２００との誤組み付けを検知できるため、第１プロテクタ１００と第２プロテクタ２００との誤組み付けを確実に防止できる。従って、車両の床下からプロテクタ１までの隙間がプロテクタ１の長手方向ＬＤで不均一となることなく、車両の床下とプロテクタ１とが擦れることを防止できるため、異音の発生を抑制することができる。
【００４２】
本実施形態では、第１連結部１３０は、第１蓋体１２０が第２プロテクタ２００に向けて延長することによって形成され、第２連結部２３０は、第２蓋体２２０に形成される。これにより、第１蓋体１２０及び第２蓋体２２０を加工するのみで、第１プロテクタ１００と第２プロテクタ２００との誤組み付けを確実に防止できる。このため、他の部材によって第１連結部１３０や第２連結部２３０を成型する場合と比較して、コスト安をも実現することができる。
【００４３】
本実施形態では、第１連結部１３０の外表面には、複数の凹部１３１が形成される。これにより、第１プロテクタ１００と第２プロテクタ２００との誤組み付けを確実に防止できることに加えて、第１連結部１３０の軽量化を図りつつ、第１連結部１３０の強度をも向上させることができる。
【００４４】
本実施形態では、嵌合部２３１は、第１プロテクタ１００と第２プロテクタ２００との組み付け状態において、第１連結部１３０の先端面１３３と当接する壁面２３２を有する。これにより、第１プロテクタ１００と第２プロテクタ２００との誤組み付けを確実に防止できることに加えて、第１プロテクタ１００と第２プロテクタ２００との組み付け時の位置決め（固定位置の位置決め）が容易となる。このため、第１プロテクタ１００と第２プロテクタ２００との組み付け作業性をも向上させることができる。
【００４５】
本実施形態では、壁面２３２の形状は、第１プロテクタ１００と第２プロテクタ２００との組み付け状態において、先端面１３３の形状と一致する。これにより、第１プロテクタ１００と第２プロテクタ２００との組み付け時の位置決めがさらに容易となるため、第１プロテクタ１００と第２プロテクタ２００との組み付け作業性をより確実に向上させることができる。
【００４６】
本実施形態では、盛上部２４０は、壁面２３２側に向かって傾斜している。これにより、第１プロテクタ１００と第２プロテクタ２００との組み付ける際、第１連結部１３０を盛上部２４０に当てると、第１連結部１３０が盛上部２４０の傾斜面を滑り込んで嵌合部２３１に嵌合する。このため、第１プロテクタ１００と第２プロテクタ２００との組み付け時の位置決めがさらに容易となるため、第１プロテクタ１００と第２プロテクタ２００との組み付け作業性をさらに向上させることができる。
【００４７】
本実施形態では、盛上部２４０の最も下端２４１は、壁面２３２と平行に形成される。これにより、第１連結部１３０が盛上部２４０の傾斜面を滑り込んで嵌合部２３１により嵌合し易くなる。このため、第１プロテクタ１００と第２プロテクタ２００との組み付け作業性をさらに向上させることができる。
【００４８】
（４）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００４９】
例えば、本発明の実施形態は、次のように変更することができる。具体的には、嵌合部２３１は、第２連結部２３０の外表面が切り欠けられて該外表面が凹むことによって形成されているものとして説明したが、これに限定されるものではなく、第１連結部１３０が嵌合されればよく、第２連結部２３０の外表面が突出することによって第１連結部１３０と嵌合するように形成されていてもよく、第１連結部１３０が嵌合されればよい。
【００５０】
また、第１連結部１３０は、第１蓋体１２０が第２プロテクタ２００に向けて延長することによって形成されるものとして説明したが、これに限定されるものではなく、第１プロテクタ本体１１０の外壁面（例えば、底面や側壁）が延長することによって形成されていてもよい。
【００５１】
同様に、第２連結部２３０は、第２蓋体２２０の第１プロテクタ１００寄りに形成されるものとして説明したが、これに限定されるものではなく、第２プロテクタ２００の外壁面（例えば、底面や側壁）に形成されていてもよい。
【００５２】
また、第１連結部１３０の外表面には、複数の凹部１３１が形成されるものとして説明したが、これに限定されるものではなく、凹部１３１が形成されていなくてもよい。
【００５３】
また、第２連結部２３０の壁面２３２の形状は、第１連結部１３０の先端面１３３の形状と一致するものとして説明したが、これに限定されるものではなく、先端面１３３の少なくとも一部と一致していてもよい。
【００５４】
また、第２プロテクタ２００は、盛上部２４０を備えているものとして説明したが、これに限定されるものではなく、盛上部２４０を備えていなくてもよい。加えて、盛上部２４０の最も下端２４１は、必ずしも壁面２３２と平行に形成される必要もなく、壁面２３２と平行に形成されていなくてもよい。
【００５５】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００５６】
１…プロテクタ
１００…第１プロテクタ
１１０…第１プロテクタ本体
１２０…第１蓋体
１３０…第１連結部
１３１…凹部
１３２…側端面
１３３…先端面
２００…第２プロテクタ
２１０…第２プロテクタ本体
２２０…第２蓋体
２３０…第２連結部
２３１…嵌合部
２３２…壁面
２４０…盛上部
２４１…下端
【図１】
0005872823.tif 000002
【図２】
0005872823.tif 000003
【図３】
0005872823.tif 000004
【図４】
0005872823.tif 000005
【図５】
0005872823.tif 000006